(57)【特許請求の範囲】
【請求項１】
乾燥薬物を含有するとともに液体を吸収できる材料で構成された吸収材と、前記吸収材の周囲に配置され下面に粘着層を有する壁材と、前記吸収材および壁材上に配置され中央部に開口を有する支持体と、前記支持体下面に配置された電極と、前記支持体上に配置された隔膜と、前記隔膜上に配置され前記薬物を溶解する溶解液を前記隔膜との間に保持し押圧により前記隔膜を破壊するための突起部を有する溶解液溜めとを備え、
前記溶解液溜めが、シート材を成型加工して形成され、前記溶解液溜めの少なくとも一部に前記突起部が成型加工により形成されるものであり、前記シート材が、環状ポリオレフィン・コポリマー・フィルムとポリオレフィン・フィルムとの積層フィルムまたはフッ素樹脂フィルムとポリオレフィン・フィルムとの積層フィルムであり、前記シート材は、水蒸気透過性が０．２２ｇ／ｍ２・２４ｈｒ以下、厚みが約２５０〜約３５０μｍであることを特徴とする用時活性化型イオントフォレーシスデバイス。
【請求項２】
前記吸収材の下面に溶液透過膜を備えたことを特徴とする請求項１記載の用時活性化型イオントフォレーシスデバイス。
【請求項３】
前記吸収材および粘着層の下面に前記吸収材との対向部分が凹形状をしたライナーを備えたことを特徴とする請求項１記載の用時活性化型イオントフォレーシスデバイス。
【請求項４】
乾燥薬物を含有する薬物含有層と、前記薬物含有層上に配置され液体を吸収できる材料で構成された吸収材と、前記吸収材の周囲に配置され下面に粘着層を有する壁材と、前記吸収材および壁材上に配置され中央部に開口を有する支持体と、前記支持体下面に配置された電極と、前記支持体上に配置された隔膜と、前記隔膜上に配置され前記薬物を溶解する溶解液を前記隔膜との間に保持し押圧により前記隔膜を破壊するための突起部を有する溶解液溜めとを備え、
前記溶解液溜めが、シート材を成型加工して形成され、前記溶解液溜めの少なくとも一部に前記突起部が成型加工により形成されるものであり、前記シート材が、環状ポリオレフィン・コポリマー・フィルムとポリオレフィン・フィルムとの積層フィルムまたはフッ素樹脂フィルムとポリオレフィン・フィルムとの積層フィルムであり、前記シート材は、水蒸気透過性が０．２２ｇ／ｍ２・２４ｈｒ以下、厚みが約２５０〜約３５０μｍであることを特徴とする用時活性化型イオントフォレーシスデバイス。
【請求項５】
前記薬物含有層および粘着層の下面に前記薬物含有層との対向部分が凹形状をしたライナーを備えたことを特徴とする請求項４記載の用時活性化型イオントフォレーシスデバイス。
【請求項６】
支持体と、前記支持体上面に配置された電極と、前記支持体および電極上に配置され乾燥薬物を含有するとともに液体を吸収できる材料で構成された吸収材と、前記支持体上で前記吸収材の周囲に配置され上面に粘着層を有する壁材と、前記吸収材および粘着層上に配置され中央部に開口を有するライナーと、前記ライナー上に配置された隔膜と、前記隔膜上に配置され前記薬物を溶解する溶解液を前記隔膜との間に保持し押圧により前記隔膜を破壊するための突起部を有する溶解液溜めとを備え、
前記溶解液溜めが、シート材を成型加工して形成され、前記溶解液溜めの少なくとも一部に前記突起部が成型加工により形成されるものであり、前記シート材が、環状ポリオレフィン・コポリマー・フィルムとポリオレフィン・フィルムとの積層フィルムまたはフッ素樹脂フィルムとポリオレフィン・フィルムとの積層フィルムであり、前記シート材は、水蒸気透過性が０．２２ｇ／ｍ２・２４ｈｒ以下、厚みが約２５０〜約３５０μｍであることを特徴とする用時活性化型イオントフォレーシスデバイス。
【請求項７】
前記吸収材の上面に溶液透過膜を備えたことを特徴とする請求項６記載の用時活性化型イオントフォレーシスデバイス。
【請求項８】
支持体と、前記支持体上面に配置された電極と、前記支持体および電極上に配置され液体を吸収できる材料で構成された吸収材と、前記支持体上で前記吸収材の周囲に配置され上面に粘着層を有する壁材と、前記吸収材上に配置された乾燥薬物を含有する薬物含有層と、前記薬物含有層および粘着層上に配置され中央部に開口を有するライナーと、前記ライナー上に配置された隔膜と、前記隔膜上に配置され前記薬物を溶解する溶解液を前記隔膜との間に保持し押圧により前記隔膜を破壊するための突起部を有する溶解液溜めとを備え、
前記溶解液溜めが、シート材を成型加工して形成され、前記溶解液溜めの少なくとも一部に前記突起部が成型加工により形成されるものであり、前記シート材が、環状ポリオレフィン・コポリマー・フィルムとポリオレフィン・フィルムとの積層フィルムまたはフッ素樹脂フィルムとポリオレフィン・フィルムとの積層フィルムであり、前記シート材は、水蒸気透過性が０．２２ｇ／ｍ２・２４ｈｒ以下、厚みが約２５０〜約３５０μｍであることを特徴とする用時活性化型イオントフォレーシスデバイス。
【請求項９】
前記隔膜の溶解液接触部が長円形状を有しており、前記溶解液溜めの突起部が前記長円形状の長手方向に伸びる線状の先端部を有することを特徴とする請求項１〜８のいずれかに記載の用時活性化型イオントフォレーシスデバイス。
【請求項１０】
前記線状の先端部の長さをＬ１とし、前記隔膜の溶解液接触部の長手方向の長さをＬ２としたとき、０．１×Ｌ２≦Ｌ１≦０．５×Ｌ２の関係を満たすことを特徴とする請求項９記載の用時活性化型イオントフォレーシスデバイス。
【請求項１１】
前記隔膜の溶解液接触部が円形状を有しており、前記溶解液溜めの突起部が十字状の先端部を有することを特徴とする請求項１〜８のいずれかに記載の用時活性化型イオントフォレーシスデバイス。
【請求項１２】
前記十字状の先端部の長さをそれぞれＬ１０、Ｌ１１とし、前記隔膜の溶解液接触部の直径をＬ２としたとき、０．１×Ｌ２≦Ｌ１０≦０．５×Ｌ２および／または０．１×Ｌ２≦Ｌ１１≦０．５×Ｌ２の関係を満たすことを特徴とする請求項１１記載の用時活性化型イオントフォレーシスデバイス。
【請求項１３】
前記支持体の開口周辺部がそれ以外の部分よりも前記吸収材側にへこんでいることを特徴とする請求項１〜５のいずれかに記載の用時活性化型イオントフォレーシスデバイス。
【請求項１４】
前記支持体の周辺部から開口に向かって前記吸収材側へ傾斜を設けたことを特徴とする請求項１〜５のいずれかに記載の用時活性化型イオントフォレーシスデバイス。
【請求項１５】
前記ライナーの開口周辺部がそれ以外の部分よりも前記吸収材側にへこんでいることを特徴とする請求項６〜８のいずれかに記載の用時活性化型イオントフォレーシスデバイス。
【請求項１６】
前記ライナーの周辺部から開口に向かって前記吸収材側へ傾斜を設けたことを特徴とする請求項６〜８のいずれかに記載の用時活性化型イオントフォレーシスデバイス。
【請求項１７】
前記隔膜が、アルミニウム箔であることを特徴とする請求項１〜１６のいずれかに記載の用時活性化型イオントフォレーシスデバイス。
【発明の詳細な説明】
【技術分野】
【０００１】
本発明はイオントフォレーシスデバイスに係り、特に用時に溶解液を供給して薬物を活性化させて用いる用時活性化型イオントフォレーシスデバイスに関するものである。このデバイスは、電気的エネルギーを利用して生体内へ生理活性物質を送達するための装置や、生体内から生体外へ診断物質を抽出するための装置に利用される。
【背景技術】
【０００２】
イオントフォレーシス（例えば、Ａｃｔａ  Ｄｅｒｍａｔｏｌ  ｖｅｎｅｒｅｏｌ，６４巻，９３ページ，１９８４年）は、電気的なエネルギーを用いて皮膚や粘膜から薬物を送達する方法である。また、同じ原理を用いて、生体内から診断物質を取り出して病状を観察する方法がある（例えば、Ｎａｔｕｒｅ  Ｍｅｄｉｃｉｎｅ，１巻，１１９８−１２０ページ，１９９５年）。これらの方法を実施するために、生理活性物質を送達するための装置、および生体内から診断物質を取り出すための装置として、所望の構造を有するイオントフォレーシスデバイスが用いられる。【０００３】
従来、化学的に不安定な薬物を含有するイオントフォレーシスデバイスを製造する場合、その製剤の組成を工夫することにより薬物の安定化を図ることが一般的であった。しかし、薬物の性質上、処方の工夫では薬物の安定性が十分に得られない場合もある。そこで、薬物を乾燥状態で保存しておき、用時に乾燥状態の薬物に液体を供給して用いるイオントフォレーシスデバイスが提案されている。【０００４】
例えば、特許文献１には、イオントフォレーシス用インタフェースが開示されている。このインタフェースは、多孔体の片面に乾燥した薬物粒子付着面を形成しておき、使用する際、薬物粒子付着面と生体皮膚とが接触される。搬送液が封入されているリザーバを支持部材の上から、リザーバに設けられた中空針を刺入して連通させ、搬送液を中空針及び導電性部材を介して多孔体に供給する。次に、導電性部材に通電を行う。搬送液は、導電性部材、多孔体を浸透していき、薬物粒子付着面に到達する。搬送液は薬物粒子付着面と混じり合い、液状となる。生体皮膚表面上では、液状化した薬物層が形成され、更に電気力によって生体内へ薬物が浸透していく。
【特許文献１】特許第２７９５４６６号公報
【０００５】
また、特許文献２には、イオントフォレーシス用の新規プラスター構造体が開示されている。この構造体は、例えば、その第４図に示されるように、電解質溶液を封入したカプセルをプラスター構造体の上部に設けておき、このカプセルと水含有層とのあいだに配したアルミ箔等の薄膜を貼着時に破壊して電解液を含浸させる構造を有する。そして水分解性の薬物を用いる場合には、薬物含有層と水含有層を乾燥状態に調整しておき、電解質溶液を封入したカプセルを具備したプラスター構造体として需要に供するのが良いとされている。
【特許文献２】特公平５−８４１８０号公報
【発明の開示】
【発明が解決しようとする課題】
【０００６】
このようにイオントフォレーシスデバイスにおいて、薬物を乾燥状態で保存しておき、用時に乾燥状態の薬物に液体を供給する場合、液体は薬物の量に応じた量で供給されなければならない。しかしながら、上記従来技術においては、搬送液または電解質溶液を封入したリザーバまたはカプセルについての詳細な構造が明らかにされておらず、これらのものでは、装置使用後、搬送液または電解質溶液がリザーバまたはカプセルに残るおそれがあり、液体を薬物の量に応じた量で供給できないおそれがある。【０００７】
従って本発明の目的は、用時に溶解液を薬物の量に応じた量で供給することができる用時活性化型イオントフォレーシスデバイス（電極構造体）を提供することにある。
【課題を解決するための手段】
【０００８】
上記目的は、乾燥薬物を含有するとともに液体を吸収できる材料で構成された吸収材と、前記吸収材の周囲に配置され下面に粘着層を有する壁材と、前記吸収材および壁材上に配置され中央部に開口を有する支持体と、前記支持体下面に配置された電極と、前記支持体上に配置された隔膜と、前記隔膜上に配置され前記薬物を溶解する溶解液を前記隔膜との間に保持し押圧により前記隔膜を破壊するための突起部を有する溶解液溜めとを備えた用時活性化型イオントフォレーシスデバイスにより達成される。ここで、前記吸収材の下面にはさらに溶液透過膜を備えることができ、また、前記吸収材および粘着層の下面には前記吸収材との対向部分が凹形状をしたライナーを備えることができる。【０００９】
また本発明に係る用時活性化型イオントフォレーシスデバイスは、乾燥薬物を含有する薬物含有層と、前記薬物含有層上に配置され液体を吸収できる材料で構成された吸収材と、前記吸収材の周囲に配置され下面に粘着層を有する壁材と、前記吸収材および壁材上に配置され中央部に開口を有する支持体と、前記支持体下面に配置された電極と、前記支持体上に配置された隔膜と、前記隔膜上に配置され前記薬物を溶解する溶解液を前記隔膜との間に保持し押圧により前記隔膜を破壊するための突起部を有する溶解液溜めとを備えるものである。ここで、前記薬物含有層および粘着層の下面には前記薬物含有層との対向部分が凹形状をしたライナーを備えることができる。【００１０】
また本発明に係る用時活性化型イオントフォレーシスデバイスは、支持体と、前記支持体上面に配置された電極と、前記支持体および電極上に配置され乾燥薬物を含有するとともに液体を吸収できる材料で構成された吸収材と、前記支持体上で前記吸収材の周囲に配置され上面に粘着層を有する壁材と、前記吸収材および粘着層上に配置され中央部に開口を有するライナーと、前記ライナー上に配置された隔膜と、前記隔膜上に配置され前記薬物を溶解する溶解液を前記隔膜との間に保持し押圧により前記隔膜を破壊するための突起部を有する溶解液溜めとを備えるものである。ここで、前記吸収材の上面には溶液透過膜を備えることができる。【００１１】
また本発明に係る用時活性化型イオントフォレーシスデバイスは、支持体と、前記支持体上面に配置された電極と、前記支持体および電極上に配置され液体を吸収できる材料で構成された吸収材と、前記支持体上で前記吸収材の周囲に配置され上面に粘着層を有する壁材と、前記吸収材上に配置された乾燥薬物を含有する薬物含有層と、前記薬物含有層および粘着層上に配置され中央部に開口を有するライナーと、前記ライナー上に配置された隔膜と、前記隔膜上に配置され前記薬物を溶解する溶解液を前記隔膜との間に保持し押圧により前記隔膜を破壊するための突起部を有する溶解液溜めとを備えることができる。【００１２】
ここで、前記隔膜の溶解液接触部は長円形状を有しており、前記溶解液溜めの突起部は前記長円形状の長手方向に伸びる線状の先端部を有するようにすることができる。この場合、前記線状の先端部の長さをＬ１とし、前記隔膜の溶解液接触部の長手方向の長さをＬ２としたとき、０．１×Ｌ２≦Ｌ１≦０．５×Ｌ２の関係を満たすことが好ましい。また、前記隔膜の溶解液接触部は円形状を有しており、前記溶解液溜めの突起部は十字状の先端部を有するようにすることができる。この場合、前記十字状の先端部の長さをそれぞれＬ１０、Ｌ１１とし、前記隔膜の溶解液接触部の直径をＬ２としたとき、０．１×Ｌ２≦Ｌ１０≦０．５×Ｌ２および／または０．１×Ｌ２≦Ｌ１１≦０．５×Ｌ２の関係を満たすことが好ましい。【００１３】
また、前記支持体の開口周辺部がそれ以外の部分よりも前記吸収材側にへこんでいることが好ましい。さらに、前記支持体の周辺部から開口に向かって前記吸収材側へ傾斜を設けることが好ましい。同様に、前記ライナーの開口周辺部がそれ以外の部分よりも前記吸収材側にへこんでいることが好ましい。さらに、前記ライナーの周辺部から開口に向かって前記吸収材側へ傾斜を設けることが好ましい。
また、前記溶解液溜めは、シート材を成型加工して形成され、前記シート材は、水蒸気透過性が０．２２ｇ／ｍ２・２４ｈｒ以下であることが好ましい。また、前記シート材は、厚みが約２５０〜約３５０μｍであることが好ましい。例えば、前記シート材は、環状ポリオレフィン・コポリマー・フィルムを含むことができ、好ましくは環状ポリオレフィン・コポリマー・フィルムとポリオレフィン・フィルムとの積層フィルムである。また、前記シート材は、フッ素樹脂フィルムを含むことができ、好ましくはフッ素樹脂フィルムとポリオレフィン・フィルムとの積層フィルムである。さらに、前記隔膜は、アルミニウム箔とすることができる。
【発明の効果】
【００１４】
本発明によれば、用時に溶解液を薬物の量に応じた量で供給することができる用時活性化型イオントフォレーシスデバイスを得ることができる。また、溶解液溜め中の液残りを少なくすることができるので、薬物をまんべんなく活性化することができる。本発明による溶解液の供給により薬物の濃度が各所でほぼ均一となる。また、用時において溶解液溜めの溶解液を速やかに流すことができる。
【図面の簡単な説明】
【００１５】
【図１】本発明に係る用時活性化型イオントフォレーシスデバイスの一構成例を示す図で、（ａ）は平面図、（ｂ）は（ａ）のＸ−Ｘ断面図である。
【図２】本発明に係る用時活性化型イオントフォレーシスデバイスの他の構成例を示す断面図である。
【図３】本発明に係る用時活性化型イオントフォレーシスデバイスの他の構成例を示す断面図である。
【図４】本発明に係る用時活性化型イオントフォレーシスデバイスの他の構成例を示す断面図である。
【図５】本発明に係る用時活性化型イオントフォレーシスデバイスの他の構成例を示す断面図である。
【図６】本発明に係る用時活性化型イオントフォレーシスデバイスの他の構成例を示す断面図である。
【図７】本発明に係る用時活性化型イオントフォレーシスデバイスのさらに他の構成例を示す断面図である。
【図８】本発明に係る用時活性化型イオントフォレーシスデバイスのさらに他の構成例を示す断面図である。
【図９】本発明に係る用時活性化型イオントフォレーシスデバイスに用いる溶解液溜めの一構成例を示す図で、（ａ）は平面図、（ｂ）は（ａ）のＸ−Ｘ断面図、（ｃ）は（ａ）のＹ−Ｙ断面図である。
【図１０】本発明に係る用時活性化型イオントフォレーシスデバイスに用いる溶解液溜めの他の構成例を示す平面図である。
【図１１】本発明に係る支持体またはライナーの一構成例を示す断面図である。
【図１２】本発明に係る支持体またはライナーの他の構成例を示す断面図である。
【符号の説明】
【００１６】
１０、４０  薬物
１１、４１  乾燥薬物を含有する吸収材
１２、４２  粘着層
１３、４３  壁材
１４、４４  開口
１５、４５  支持体
１６、４６、９１  溶解液
１７、４７、９４  突起部
１８、４８、９０  溶解液溜め
１９、４９、７９、８９  ライナー
２０、５０、９２  隔膜
２１、５１  溶液透過膜
２５、５５  電極
２６、５６  リード部
３１、６１  薬物を含有しない吸収材
３２、６２  薬物含有層
【発明を実施するための最良の形態】
【００１７】
図１は本発明に係る用時活性化型イオントフォレーシスデバイスの一構成例を示す図で、（ａ）は平面図、（ｂ）は（ａ）のＸ−Ｘ断面図である。本例のデバイスは、図示のように、乾燥した薬物１０を含有するとともに液体を吸収できる材料で構成された吸収材１１と、吸収材１１の周囲に配置され下面に粘着層１２を有する壁材１３と、吸収材１１および壁材１３上に配置され中央部に開口１４を有する支持体１５と、支持体１５下面に配置された電極２５と、支持体１５上に配置された隔膜２０と、隔膜２０上に配置され薬物を溶解する溶解液を隔膜２０との間に保持し押圧により隔膜２０を破壊するための突起部１７を有する溶解液溜め１８とを備える。突起部１７は、例えば、図示のように線状の先端部を有しており、隔膜２０に接触または近接して配置される。吸収材１１および粘着層１２の下面にはライナー１９が取り外し可能に取り付けられている。ここで、溶解液溜め１８と隔膜２０は別個に形成してもよいし、一体的に形成してもよい。溶解液溜め１８と隔膜２０とを組み合わせたものが溶解液容器である。また、支持体の開口１４の形状は特に限定されないが、吸収材１１に溶液をまんべんなく供給できる形状であればよく、例えば円形状であることが好ましい。この場合、開口１４の寸法は吸収材１１の大きさにもよるが、例えば直径２ｍｍ〜１０ｍｍであり、好ましくは４ｍｍ〜８ｍｍである。なお、支持体１５を省略して隔膜２０にその機能を兼用させることもできる。この場合は予め開口は設けず、用時に突起部により開口が形成されることになる。【００１８】
電極２５およびリード部２６は、例えば支持体１５下面に印刷することにより作製される。電極２５はリード部２６を介して図示しない電源装置の一方の出力端子（例えば＋極）に接続される。電源装置の他方の出力端子（例えば−極）は、図示しないカウンターデバイスに接続される。カウンターデバイスの構造は本イオントフォレーシスデバイスと同様の構成にすることができるが、薬物は必ずしも含む必要はない。電源装置からはイオントフォレーシス用の電圧または電流が本イオントフォレーシスデバイスおよびカウンターデバイス間に付与される。【００１９】
用時には、まず、溶解液溜め１８または突起部１７の上面を押圧すると、突起部１７が隔膜２０を破る。この際、隔膜２０は突起部１７の線状の先端部に沿って大きく破れ、溶解液溜め１８中の溶解液が支持体１５の開口１４を介して吸収材１１に流れる。この溶解液により、吸収材１１が湿潤状態となり薬物１０がまんべんなく活性化される。その後、ライナー１９を取り外し、本デバイスを皮膚に貼る。イオントフォレーシス用の電源装置を始動させることにより電圧または電流が本イオントフォレーシスデバイスおよびカウンターデバイス間に付与される。これにより、活性化された薬物が皮膚に浸透する。本例では、デバイス本体に溶解液溜め１８が付いたままなので、溶解液溜め１８中の溶解液が空になるまで貼付を待つ必要はない。用時に溶解液溜め１８中に溶解液が残っていても徐々に吸収材１１に供給されるからである。【００２０】
本発明のイオントフォレーシスデバイスでは各部において次のものを使用することができる。
薬物としては、治療目的に応じた薬物を各種選択することができが、イオントフォレーシスを用いた薬物投与に際して、薬物投与量の許容精度が厳しい薬物に対して特に有用である。例えば、インシュリンなどのように有効血中濃度と副作用発現濃度の幅が狭い薬物に対して本デバイスは安全に使用できる。また、その他の有効血中濃度と副作用発現濃度の幅が比較的広い薬物においても、電気的な誤差要因を極力抑制することは薬物の高い安全性および有効性を得るために重要である。【００２１】
本発明において使用される薬物（有効成分）には、薬理活性を有する化合物であれば薬剤の種類及び塩の種類、各薬剤の適応等には特に制限されず、例えば、抗生物質、抗真菌剤、抗腫瘍剤、強心剤、不整脈治療剤、血管拡張剤、降圧剤、利尿剤、降圧利尿剤、循環器用剤、抗血小板薬、止血剤、抗高脂血症剤、解熱，鎮痛，消炎剤、抗リウマチ、弛緩剤、鎮咳去たん剤、抗潰瘍剤、鎮静剤、抗てんかん剤、抗うつ剤、抗アレルギー剤、糖尿病治療剤、抗結核剤、ホルモン剤、麻薬拮抗剤、骨吸収抑制剤、血管新生阻害剤，局所麻酔剤などが用いられる。本デバイスの好ましい使用形態には有効成分の塩酸塩が挙げられる。また、各電極構造体に含有する有効成分の種類及び数には特に制限はなく、薬理効果を増強するために異なる有効成分を各電極構造体に含有することもできる。さらに、好ましい形態としては少なくとも１種以上の同一有効成分を２つのデバイス（電極構造体）に含有することである。【００２２】
抗生物質としては、例えば、硫酸ゲンタンマイシン、リピドマイシン、硫酸シソマイシン、塩酸テトラサイクリン、アンピシリン、セファロチンナトリウム、塩酸セフォチアム、セファゾリンナトリウム、チエナマイシン、スルファゼシン、硫酸ストレプトマイシン、硫酸カナマイシン、リファンピシン、塩酸バンコマイシン、オフロキサシン、硫酸セフォセリスなどが用いられる。
抗真菌剤としては、例えば、アンフォテリシンＢ、イトラコナゾール、フルコナゾール、ミコナゾール、２−［（１Ｒ，２Ｒ）−２−（２，４−ジフルオロフェニル−２−ヒドロキシ−１−メチル−３−（１Ｈ−１，２，４−トリアゾール−１−イル）プロピル］−４−［４−２，２，３，３−テトラフルオロプロポキシ）フェニル］−３（２Ｈ，４Ｈ）−１，２，４−トリアゾロンなどが用いられる。
抗腫瘍剤としては、例えば、塩酸ブレオマイシン、テガフール、アクチノマシンＤ、マイトマシンＣ、アドリアマイシン、フルオロウラシル、６−メルカプトプリン、シタラビン、プロカルバジン、塩酸ドキソルビシン、メトトレキサート、クエン酸タモキシフェンなどが用いられる。
抗結核剤としては、例えば、硫酸ストレプトマイシン、硫酸カナマイシン、イソニアジド、塩酸エタンブトール、ピラジナミドなどが用いられる。【００２３】
強心剤としては、例えば、トランスバイオキソカンファー、テオフィロール、塩酸ドパミン、塩酸ドブタミン、ユビデカレノンなどが用いられる。
不整脈治療剤としては、例えば、塩酸プロプラノール、塩酸オキシプレノール、塩酸プロカインアミド、リドカイン、フェニトイン、酒石酸メトプロロール、塩酸ベラパミル、塩酸ジルチアゼムなどが用いられる。
血管拡張剤としては、例えば、塩酸オキシフェドリン、塩酸トラゾリン、硫酸パメタン、塩酸ニカルジピン、塩酸ベラパミル、塩酸パパベリンなどが用いられる。
抗圧剤としては、例えば、塩酸ヒドララジン、ブドララジン、塩酸プラゾシン、メシル酸ドキサゾシン、塩酸カルテオロール、塩酸クロニジン、マレイン酸エナラプリル、カプトプリル、塩酸デラプリル、塩酸マニジピン、ピナシジル、ミノキシジル、ロサルタン、カンデサルタンシレキセチル、バルサルタン、テルミサルタン、イルベサルタンなどが用いられる。
利尿剤としては、例えばアセタゾラミド、メタゾラミド、クロロチアジド、フロセミド、トリアムテレン、アミロリド、アミノメトロジンなどが用いられる。
降圧利尿剤としては、例えばペントリニウム、ヘキサメトニウムブロミドなどが用いられる。【００２４】
循環器用剤としては、例えば、アルプロスタジル、リマプロスト、オザグレルナトリウム、硫酸クロピドグレル、ベラプロスト、シプロステン、アイロプロスト、アタプロスト、クリンプロスト、イコサペント酸エチル、塩酸エチレフリン、メシル酸ジヒドロエルゴタミン、パミコグレル、トラニラスト、プロブコール、カンデサルタンシレキセチル、クエン酸ナトリウム、ＤＸ−９０６５ａ、ヘパリン、低分子量ヘパリン、ニフェジピン、塩酸エホニジピン、塩酸ジルチアゼム、トラニラストなどが用いられる。
抗血小板薬としては、例えば、チクロピジン、サチグレル、リマプロスト・アルファデクス、クリンプロスト、硫酸クロピドグレル、シブラフィバン、エプチバチド、塩酸チロフィバン、塩酸サルポグレラート、塩酸ゼミロフィバン、酢酸オルボフィバン、イスボグレル、シロスタゾール、アスピリン、アブキシマブ、（Ｓ）−４−（４−グアニジノベンゾイルアミノ）アセチル−３−［３−（４−グアニジノベンゾイルアミノ）］プロピル−２−オキソピペラジン−１−酢酸もしくはその塩などが用いられる。
止血剤としては、エピネフリン、メナジオン亜硫酸水素ナトリウム、アセトメナフトン、トラネキサム酸などが用いられる。
抗高脂血症剤としては、例えばプラバスタチンナトリウム、シンバスタチン、フルバスタチンナトリウム、セリバスタチン、アトルバスタチンなどが用いられる。【００２５】
解熱，鎮痛，消炎剤としては、例えば、アスピリン、サリチル酸ナトリウム、スルピリン、インドメタシン、ジクロフェナックナトリウム、ロキソプロフェンナトリウム、フェルビナック、ザルトプロフェン、ピロキシカム、ニメスリド、メロキシカム、セレキシコブ、チアラミド、エモルファゾン、ブプレノルフィン、臭化水素酸エプタゾシン、ペンタゾシン、酒石酸ブトルファノール、塩酸トラマゾール、ケトロラック、塩酸メペリジン、塩酸モルヒネ、硫酸モルヒネ、ハイドロモルヒネ、クエン酸フェンタニル、フェンタニル、モフェゾラクなどが用いられる。
抗リウマチ剤としては、例えば、塩酸メトトレキサート、金チオリンゴ酸ナトリウム、オーラノフィン、ブシラミン、Ｄ−ペニシラミン、アクタリット、ロベンザリット、ミゾリビン、サラゾスルファピリジン、タクロリムス水和物などが用いられる。
筋弛緩剤としては、例えば、メタンスルホン酸プリジノール、塩化ツボクラリン、塩酸エペリゾン、塩酸チザニジン、カルバミン酸クロルフェネシン、塩酸トルペリゾン、ダントロレンナトリウム、バクロフェン、塩酸ランペリゾンなどが用いられる。【００２６】
鎮咳去たん剤としては、例えば、塩酸エフェドリン、リン酸コデイン、塩酸ピコペリダミン、アンプロキソール、塩酸ブロムヘキシン、硫酸サルブタモール、塩酸ツロブテロール、フマル酸フォルモテロール、塩酸アゼラスチン、フマル酸ケトチフェン、ピコペリダミンなどが用いられる。
抗潰瘍剤としては、例えば、オルノプロスチル、シメチジン、ファモチジン、塩酸ラニチジン、メトクロプラミド、オメプラゾール、ランソプラゾールなどが用いられる。
鎮静剤としては、例えば塩酸クロルプロマジン、硫酸アトロピン、エナント酸フルフェナジンなどが用いられる。
抗てんかん剤としては、例えばフェニトインナトリウム、エトサクシミドなどが用いられる。
抗うつ剤としては、例えば、塩酸アミトリプチリン、塩酸イミプラミン、塩酸クロミプラミン、塩酸デシプラミン、塩酸マプロチリン、硫酸フェネルジンなどが用いられる。【００２７】
抗アレルギー剤としては、例えば塩酸ジフェニルヒドラミン、塩酸トリペレナミン、塩酸クレミゾール、ｄ−マレイン酸クロルフェニラミン、塩酸シプロヘプタジン、フマル酸ケトチフェン、エピナスチン、タクロリムス水和物などが用いられる。
糖尿病治療剤としては、例えばグリミジンナトリウム、グリピザイド、メトフォルミン、トルブタミド、クロルプロパミド、グリベンクロミド、アセトヘキサミド、ミダグリゾール、グリメピリド、セナグリニド、レパグリニド、塩酸ピオグリタゾンなどが用いられる。【００２８】
抗結核剤としては、例えば硫酸ストレプトマイシン、硫酸カナマイシン、イソニアジド、塩酸エタンブトール、ピラジナミドなどが用いられる。
ホルモン剤としては、例えばβ−エストラジオール、エナント酸テストステロン、コハク酸プレドニゾロン、デキサメタゾンリン酸ナトリウム、メチマゾールなどが用いられる。
麻薬拮抗剤としては、例えば酒石酸レバロルファン、塩酸ナロルフィン、プロタミン、ナロキソンなどが用いられる。【００２９】
骨吸収抑制剤としては、例えば（硫黄含有アルキル）アミノメチレンビスフォスフォン酸、ラロキシフェン、アレンドロ酸ナトリウム、インカドロン酸二ナトリウム、チボロン、シマドロネート、リセドロネート、クロドロネート酸二ナトリウム、ファレカルシトリオール、カルシトリオール、アルファカルシトリオール、ダイドロネルナトリウム、イプリフラボン、ミノドロン酸などが用いられる。【００３０】
血管新生阻害剤としては、例えば血管新生抑制ステロイド〔サイエンス（Ｓｃｉｅｎｃｅ）第２２１巻、７１９頁（１９８３年）参照〕、フマギロール誘導体〔例えば、Ｏ−モノクロロアセチルカルバモイルフマギロール、Ｏ−ジクロロアセチルカルバモイルフマギロール等（ヨーロッパ特許出願第３５７０６１号公報、同３５９０３６号公報、同３８６６６７号公報、同４１５２９４号公報参照）〕などが用いられる。
局所麻酔剤としては、例えば、塩酸リドカイン、塩酸テトラカイン、塩酸プロカイン、塩酸ベンゾカイン、塩酸エチドカイン、塩酸プリロカイン、塩酸ジブカイン、塩酸ブピバカイン、塩酸コカイン、アミノ安息香酸エチル、塩酸オルソカイン、塩酸オキセサゼイン、塩酸メピバカインなどが用いられる。【００３１】
その他の有効成分としては、ペプチド、タンパク及び核酸、オリゴ糖類などの薬理活性を有する化合物が挙げられる。本明細書において、アミノ酸，ペプチド等に関し、略号で表示する場合、ＩＵＰＡＣ−ＩＵＢ  コミッション・オン・バイオケミカル・ノーメンクレーチャー（Ｃｏｍｍｉｓｓｉｏｎ  ｏｎ  Ｂｉｏｃｈｅｍｉｃａｌ  Ｎｏｍｅｎｃｌａｔｕｒｅ）による略号あるいは当該分野における慣用略号に基づくものとし、また、アミノ酸に光学異性体があり得る場合、特に明示しなければＬ体を示すものとする。【００３２】
ペプチドとしては、次のようなペプチドが用いられる。
黄体形成ホルモン放出ホルモン（ＬＨ−ＲＨ），ＬＨ−ＲＨと同様な作用を有する誘導体、例えば下式（Ｉ）：
（Ｐｙｒ）Ｇｌｕ−Ｒ１−Ｔｒｐ−Ｓｅｒ−Ｒ２−Ｒ３−Ｒ４−Ａｒｇ−Ｐｒｏ−Ｒ５・・・（Ｉ）
〔式中、Ｒ１はＨｉｓ，Ｔｙｒ，Ｔｒｐまたはｐ−ＮＨ２−Ｐｈｅ、Ｒ２はＴｙｒまたはＰｈｅ、Ｒ３はＧｌｙまたはＤ型のアミノ酸残基、Ｒ４はＬｅｕ，ＩｌｅまたはＮｌｅ、Ｒ５はＧｌｙ−ＮＨ−Ｒ６（Ｒ６はＨまたは水酸基を有していてもよい低級アルキル基）またはＮＨ−Ｒ６（Ｒ６は前記と同意義）を示す〕で表されるポリペプチドまたはそれらの塩〔米国特許第３８５３８３７号，同第４００８２０９号、同第３９７２８５９号，英国特許第１４２３０８３号，プロシーデイングス・オブ・ザ・ナショナル・アカデミー・オブ・サイエンス（Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅ）第７８巻，６５０９〜６５１２頁（１９８１年）参照〕が用いられる。【００３３】
ＬＨ−ＲＨ  拮抗物質、例えば下式（ＩＩ）：
Ｎ−α−ｔ−ブトキシカルボニル−Ｏ−ベンジル−Ｓｅｒ−Ｔｒｐ−Ｓｅｒ−Ｔｙｒ−Ｘ１−Ｌｅｕ−Ａｒｇ−Ｐｒｏ−ＧｌｙＮＨ２・・・（ＩＩ）
〔式中、Ｘ１はＤ−ＳｅｒまたはＤ−Ｔｒｐを示す〕で表されるポリペプチドまたはそれらの塩（米国特許第４０８６２１９号，同第４１２４５７７号，同第４２５３９９７号，同第４３１７８１５号参照）が用いられる。
インスリン；ソマトスタチン，ソマトスタチン誘導体、例えば下式（ＩＩＩ）：【００３４】
【化１】
0004721902.tif 000002
【００３５】
〔式中、ＹはＤ−Ａｌａ，Ｄ−ＳｅｒまたはＤ−Ｖａｌ、ＺはＡｓｎまたはＡｌａを示す〕で表されるポリペプチドまたはそれらの塩（米国特許第４０８７３９０号，同第４０９３５７４号，同第４１００１１７号，同第４２５３９９８号参照）が用いられる。
副腎皮質刺激ホルモン（ＡＣＴＨ）；メラノサイト刺激ホルモン（ＭＳＨ）；甲状腺刺激ホルモン放出ホルモン（ＴＲＨ），その誘導体、例えば下式（ＩＶ）：【００３６】
【化２】
0004721902.tif 000003
【００３７】
〔式中、Ｘａは４，５または６員複素環基を、Ｙａはイミダゾール−４−イルまたは４−ヒドロキシフェニルを、ＺａはＣＨ２またはＳを、Ｒ１ａ，Ｒ２ａは同一または異なって水素もしくは低級アルキル基を、Ｒ３ａは水素または置換基を有していてもよいアラルキル基を示す〕で表される化合物またはそれらの塩（特開昭５０−１２１２７３号，特開昭５２−１１６４６５号公報参照）が用いられる。【００３８】
副甲状腺ホルモン（ＰＴＨ），その誘導体、例えば下式（Ｖ）：
Ｒ１’−Ｖａｌ−Ｓｅｒ−Ｇｌｕ−Ｌｅｕ−Ｒ２’−Ｈｉｓ−Ａｓｎ−Ｒ３’−Ｒ４’−Ｒ５’−Ｈｉｓ−Ｌｅｕ−Ａｓｎ−Ｓｅｒ−Ｒ６’−Ｒ７’−Ａｒｇ−Ｒ８’−Ｇｌｕ−Ｒ９’−Ｌｅｕ−Ｒ１０’−Ｒ１１’−Ｒ１２’−Ｌｅｕ−Ｇｌｎ−Ａｓｐ−Ｖａｌ−Ｈｉｓ−Ａｓｎ−Ｒ１３’・・・（Ｖ）
〔式中、Ｒ１’はＳｅｒまたはＡｉｂ、Ｒ２’はＭｅｔまたは天然型の脂溶性アミノ酸、Ｒ３’はＬｅｕ，Ｓｅｒ，Ｌｙｓまたは芳香族アミノ酸、Ｒ４’はＧｌｙまたはＤ−アミノ酸、Ｒ５’はＬｙｓまたはＬｅｕ、Ｒ６’はＭｅｔまたは天然型の脂溶性アミノ酸、Ｒ７’はＧｌｕまたは塩基性アミノ酸、Ｒ８’はＶａｌまたは塩基性アミノ酸、Ｒ９’はＴｒｐまたは２−（１，３−ジチオラン−２−イル）Ｔｒｐ、Ｒ１０’はＡｒｇまたはＨｉｓ、Ｒ１１’はＬｙｓまたはＨｉｓ、Ｒ１２’はＬｙｓ，ＧｌｎまたはＬｅｕ、Ｒ１３’はＰｈｅまたはＰｈｅ−ＮＨ２を示す〕で表されるペプチドまたはそれらの塩（特開平５−３２６９６号，同第４−２４７０３４号，ヨーロッパ特許公開第５１０６６２号，同第４７７８８５号，同第５３９４９１号公報参照）、ヒト型ＰＴＨのＮ末端（１→３４位）のペプチドフラグメント（以下、ｈＰＴＨ（１→３４）と略す）など〔Ｇ．Ｗ．Ｔｒｅｇｅａｒら、エンドクリノロジー（Ｅｎｄｏｃｒｉｎｏｌｏｇｙ），９３，１３４９−１３５３（１９７３）参照〕；バソプレシン，バソプレシン誘導体｛デスモプレシン〔日本内分泌学会雑誌，第５４巻  第５号第６７６〜６９１頁（１９７８）〕参照｝が用いられる。【００３９】
オキシトシン；カルシトニン、カルシトニンと同様な作用を有する誘導体、例えば下式（ＶＩ）：【００４０】
【化３】
0004721902.tif 000004
【００４１】
〔式中、Ｘｂは２−アミノスベリン酸〕で表される化合物またはそれらの塩〔エンドクリノロジー（Ｅｎｄｏｃｒｉｎｏｌｏｇｙ）１９９２，１３１／６（２８８５−２８９０）参照〕；グルカゴン；ガストリン；セクレチン；コレーシストキニン；アンジオテンシンが用いられる。
エンケファリン，エンケファリン誘導体、例えば下式（ＶＩＩ）：【００４２】
【化４】
0004721902.tif 000005
【００４３】
〔式中、Ｒ１ｃとＲ３ｃは水素または炭素数１から６のアルキル基、Ｒ２ｃは水素またはＤ−α−アミノ酸、Ｒ４ｃは水素または炭素数１から８の置換されていてもよい脂肪族アシル基を示す〕で表されるペプチドまたはそれらの塩（米国特許第４２７７３９４号，ヨーロッパ特許出願公開第３１５６７号公報参照）等のオリゴペプチドおよびエンドルフィンが用いられる。【００４４】
キョウトルフィン；インターロイキン（ＩからＸＩ）；タフトシン；サイモポイエチン；胸腺液性因子（ＴＨＦ）；血中胸腺因子（ＦＴＳ）およびその誘導体、例えば式（ＶＩＩＩ）：
ＰＧｌｕ−Ｘｄ−Ｌｙｓ−Ｓｅｒ−Ｇｌｎ−Ｙｄ−Ｚｄ−Ｓｅｒ−Ａｓｎ−ＯＨ・・・（ＶＩＩＩ）
〔式中、ＸｄはＬ−またはＤ−Ａｌａ、Ｙｄ及びＺｄは各々Ｇｌｙまたは炭素数３から９のＤ−アミノ酸を示す〕で表されるペプチドまたはそれらの塩（米国特許第４２２９４３８号参照）；およびその他の胸腺ホルモン〔サイモシンα１およびβ４，サイミックファクターＸ等、医学のあゆみ、第１２５巻，第１０号，８３５−８４３頁（１９８３年）参照〕が用いられる。
モチリン；デイノルフィン；ボムベシン；ニュウロテンシン；セルレイン；ブラディキニン；ウロキナーゼ；サブスタンスＰ；ポリミキシンＢ；コリスチン；グラミシジン；バシトラシン；タンパク合成刺激ペプチド（英国特許第８２３２０８２号参照）；胃酸分泌抑制ポリペプチド（ＧＩＰ）；バソアクティブ・インティスティナル・ポリペプチド〔ｖａｓｏａｃｔｉｖｅ  ｉｎｔｅｓｔｉｎａｌ  ｐｏｌｙｐｅｐｔｉｄｅ（ＶＩＰ）〕；プレートレット−ディライブド・グロース・ファクター〔ｐｌａｔｅｌｅｔ−ｄｅｒｉｖｅｄ  ｇｒｏｗｔｈ  ｆａｃｔｏｒ（ＰＤＧＦ）〕；成長ホルモン分泌因子（ＧＲＦ，ソマトクリニン）などが用いられる。【００４５】
これらの生理活性ペプチドはヒト型でも他の動物、たとえばウシ、ブタ、ニワトリ、サケ、ウナギ由来のものでもよく、さらにはヒトとそれら動物由来のもののキメラ体でもよい。さらに一部構造を変化させた活性誘導体でもよい。例えば、ブタ由来のインスリンや、カルシトニンではブタ、ニワトリ、サケ、ウナギ由来のものあるいはヒトとサケのキメラ体であって、下式（ＩＸ）：
Ｃｙｓ−Ｇｌｙ−Ａｓｎ−Ｌｅｕ−Ｓｅｒ−Ｔｈｒ−Ｃｙｓ−Ｍｅｔ−Ｌｅｕ−Ｇｌｙ−Ｌｙｓ−Ｌｅｕ−Ｓｅｒ−Ｇｌｎ−Ｇｌｕ−Ｌｅｕ−Ｈｉｓ−Ｌｙｓ−Ｌｅｕ−Ｇｌｎ−Ｔｈｒ−Ｔｙｒ−Ｐｒｏ−Ａｒｇ−Ｔｈｒ−Ａｓｎ−Ｔｈｒ−Ｇｌｙ−Ｓｅｒ−Ｇｌｙ−Ｔｈｒ−Ｐｒｏ・・・（ＩＸ）
で表されるペプチド〔エンドクリノロジー（Ｅｎｄｏｃｒｉｎｏｌｏｇｙ）１９９２，１３１／６（２８８５−２８９０）参照〕などが用いられる。【００４６】
また、薬物には、薬物の溶解速度調節剤、安定化のための添加剤、吸着防止剤等を加えることができる。
吸収材としては、液体を良好に吸収できる材料が選択され、例えば、ポリエステル（ポリエチレンテレフタレート）、多糖類またはセルロース誘導体（レーヨン、綿）、ポリアミド（ナイロン）、その不織布、織布、ガーゼ、またはスポンジなどの多孔質体、または、親水性高分子（寒天、アガロース、アルギン酸、キサンタンガム、グアーガム、デキストラン、デキストリン、プルラン、キトサン、ゼラチン、カルボキシビニルポリマー、ポリアクリル酸塩、カルボキシメチルセルロース塩、ポリオキシアルキレン、ポリビニルアルコール、ポリビニルピロリドン、ポリアクリルアミド）、イオン交換樹脂（amberlite、diaion、コレスチラミン）等が挙げられるが、好ましくは、例えば、レーヨンを主体とする不織布である。【００４７】
壁材としては、非透水性の材料が選択され、例えば、発泡ポリオレフィン（PE、PPなど）、発泡ポリウレタン、発泡ポリスチレン、発泡ゴム（ポリブチレンなど）、発泡EVA、発泡PVC等が挙げられるが、好ましくは、例えば、発泡ポリオレフィンである。
粘着層としては、例えば、天然ゴム、スチレン-イソプレン-スチレンブロック共重合体、スチレン-ブタジエンゴム、スチレン-イソプレンゴム、ポリイソブチレン、ポリイソプレン、ポリアクリレート、シリコンゴム等が挙げられるが、好ましくは、例えば、ポリアクリレートである。
支持体としては、非透水性の材料が選択され、例えば、発泡ポリオレフィン（PE, PPなど）、発泡ポリウレタン、発泡ポリスチレン、発泡ゴム、発泡EVA、発泡PVC等が挙げられるが、好ましくは発泡ポリオレフィンが用いられる。【００４８】
溶解液溜めとしては、例えば、PET、PVC、PVDC、PP、PE、ポリスチレン、環状ポリオレフィン（COC）、Al、及びこれらの積層体よりなるシート材をドーム状に成型し、その内部に凸状の突起部を形成した成型シート、または、バリアー性の高いシート（PCTFE/PP系、PCTFE/PVC系、環状ポリオレフィン/PP系）、Al蒸着やSiO2蒸着シート等が挙げられる。溶解液溜めは、凸状の突起部を押圧することにより、隔膜または隔膜と支持体の積層体の少なくとも１ヶ所が破壊される。凸状の突起部は、円錐状では破壊される部分が点になり、溶解液の吸収材側への浸透が悪い、凸状の突き破り部分（突起部の先端部）は線状または面状であることが好ましい。材料はPCTFE（-CF2-CFCl-）ｎポリ（クロロ-トリフルオロエチレン）、COC環状ポリオレフィン共重合体でもよい。シートの厚みは例えば１００〜５００μｍとされる。溶解液溜めは、好ましくは、例えば、PP、PP/COC/PP、PCTFE/PP系が用いられる。
隔膜（突起部で破られる膜）としては、例えば、Al、Ti、Ag、PP、PE及びこれらの積層体が挙げられる。Al箔は、必要に応じ腐食を防止するためのコーティング等を施すことが好ましい。隔膜の厚みは、例えば、Alでは5〜100μm、PPやPEでは15〜50μmとされる。【００４９】
溶解液としては、例えば、水、アルコール類、多価アルコール、界面、活性剤類、糖類、ｐH調節剤（有機および無機酸類・塩基類）、塩類、水溶性高分子、溶解剤、吸収促進剤、油脂類、保存剤等が挙げられるが、好ましくは、例えば、水＋多価アルコール、精製水、グリセリン、メチルパラベン、（プロピルパラベン、プロピレングリコール）等である。
ライナーとしては、例えば、PET、PEN、PP、PE、紙、Al、これらの積層体等が挙げられるが、好ましくは、PETである。また、シリコン処理などの離型性表面処理を行うことが好ましい。さらに、薬物を含む部材に接触しないように、ライナーを凹状に加工することができる。
乾燥剤としては、予め包装されたシリカゲル、酸化Ca、塩化Ca、塩化Mg、モンモリロナイト、ゼオライトを用いることができる。
電極としては、Ag、AgCl、Ti、カーボンが挙げられるが、好ましくは、Ag、AgCl等である。電極は隔膜を兼ねることができる。隔膜を兼ねない場合は、支持体と同様に開口をもうける。開口は、一箇所以上で直径２ｍｍ以上とする。【００５０】
図２は、本発明に係る用時活性化型イオントフォレーシスデバイスの他の構成例を示す断面図である。本例のデバイスが図１のものと異なる点は、薬物を含有する吸収材１１の下面に溶液透過膜２１を備えたところにあり、その他は図１のものと同様である。溶液透過膜２１は、吸収材を保持するために有効であり、さらに粉末状の物質を含む際の保持手段として設けられるものである。
溶液透過膜としては、例えば、多孔質膜またはイオン交換膜を用いることができる。多孔質膜としては、例えば、PE、PP、セルロース、セルロースアセテート、PET、ナイロン等が挙げられる。イオン交換膜としては、例えば、陽イオン交換膜、陰イオン交換膜、複合荷電膜等が挙げられるが、好ましくは、ナイロン系の陽イオン交換膜である。但し、吸収材が不織布のときは溶液透過膜はなくてもよい。【００５１】
図３は、本発明に係る用時活性化型イオントフォレーシスデバイスの他の構成例を示す断面図である。本例のデバイスは、図１の薬物を含有する吸収材１１を、薬物を含有しない吸収材３１と薬物を含有する薬物含有層３２の２つに分けたものであり、その他は図１のものと同様である。吸収材３１と薬物含有層３２を分けた理由は、薬物を生体に高濃度で接触させることで、薬剤の吸収を最大限に発揮するためである。
薬物含有層としては、例えば、多孔質膜またはイオン交換膜に薬物を含有させたものを用いることができる。多孔質膜としては、例えば、PE、PP、セルロース、セルロースアセテート、PET、ナイロン等が挙げられる。イオン交換膜としては、例えば、陽イオン交換膜、陰イオン交換膜、複合荷電膜等が挙げられるが、好ましくは、ナイロン系の陽イオン交換膜である。【００５２】
図４は、本発明に係る用時活性化型イオントフォレーシスデバイスの他の構成例を示す断面図である。本例のデバイスは、上述の図１〜図３の例とは異なり、用時に溶解液溜めを取り外して用いるものである。本例は、図示のように、支持体４５と、支持体４５上面に配置された電極５５と、支持体４５および電極５５上に配置され乾燥薬物４０を含有するとともに液体を吸収できる材料で構成された吸収材４１と、支持体４５上で吸収材４１の周囲に配置され上面に粘着層４２を有する壁材４３と、吸収材４１および粘着層４２上に配置され中央部に開口４４を有するライナー４９と、ライナー４９上に配置された隔膜５０と、隔膜５０上に配置され薬物を溶解する溶解液を隔膜５０との間に保持し押圧により隔膜５０を破壊するための突起部４７を有する溶解液溜め４８とを備える。突起部４７は、図１のものと同様に構成される。ライナー４９は粘着層４２に取り外し可能に取り付けられている。ライナーの開口４４の形状および寸法は図１の場合と同様である。【００５３】
用時には、まず、溶解液溜め４８の上面を押圧すると、突起部４７が隔膜５０を破る。この際、隔膜５０は突起部４７からの圧力で破れ、内部の溶解液がライナー４９の開口４４を介して吸収材４１に流れる。この溶解液により、吸収材４１が湿潤状態となり薬物４０がまんべんなく活性化される。その後、溶解液溜め４８とともにライナー４９を取り外し、本デバイスを皮膚に貼る。図１の場合と同様に、イオントフォレーシス用の電源装置を始動させることにより電圧または電流が本イオントフォレーシスデバイスおよびカウンターデバイス間に付与される。これにより、活性化された薬物が皮膚に浸透する。本例では、用時にデバイス本体から溶解液溜め４８をライナー４９とともに取り外すので、用時には溶解液溜め４８中の溶解液が空になるまで待って貼付することが好ましい。【００５４】
図５は、本発明に係る用時活性化型イオントフォレーシスデバイスの他の構成例を示す断面図である。本例のデバイスが図４のものと異なる点は、薬物を含有する吸収材４１の上面に溶液透過膜５１を備えたところにあり、その他は図４のものと同様である。ここで、溶液透過膜５１を設けた理由およびその材料は、上述の図２の場合と同様である。【００５５】
図６は、本発明に係る用時活性化型イオントフォレーシスデバイスの他の構成例を示す断面図である。本例のデバイスは、図４の薬物を含有する吸収材４１を、薬物を含有しない吸収材６１と薬物を含有する薬物含有層６２の２つに分けたものあり、その他は図４のものと同様である。ここで、吸収材６１と薬物含有層６２を分けた理由およびその材料は、上述の図３の場合と同様である。【００５６】
図７は、本発明に係る用時活性化型イオントフォレーシスデバイスのさらに他の構成例を示す断面図である。本例のデバイスが図１のものと異なる点は、吸収材および粘着層の下面に吸収材との対向部分が凹形状をしたライナー７９を備えたところにあり、その他は図１のものと同様である。ここで、ライナー７９を凹状に加工するのは、ライナーが薬物を含む部材に接触しないようにするためである。【００５７】
図８は、本発明に係る用時活性化型イオントフォレーシスデバイスのさらに他の構成例を示す断面図である。本例のデバイスが図３のものと異なる点は、薬物含有層および粘着層の下面に薬物含有層との対向部分が凹形状をしたライナー８９を備えたところにあり、その他は図３のものと同様である。ここで、ライナー８９を凹状に加工するのは、ライナーが薬物を含む部材に接触しないようにするためである。【００５８】
図９は、本発明に係る用時活性化型イオントフォレーシスデバイスに用いる溶解液溜めの一構成例を示す図で、（ａ）は平面図、（ｂ）は（ａ）のＸ−Ｘ断面図、（ｃ）は（ａ）のＹ−Ｙ断面図である。本例では、用時に溶解液溜めの溶解液ができるだけ液残りなく吸収材へ供給されるように構成を工夫したものである。本例の溶解液溜め９０は、溶解液９１を保持し、用時に隔膜９２を押圧により破るための突起部９３を備える。図示のように、本例の隔膜９２の溶解液接触部は長円形状を有し、隔膜９２自体は円形状を有する。突起部９３は、隔膜９２の溶解液接触部の長円形状の長手方向に伸びる線状の先端部９４を有する。いま、線状の先端部９４の長さをＬ１とし、隔膜９２の溶解液接触部の長手方向の長さをＬ２としたとき、０．１×Ｌ２≦Ｌ１≦０．５×Ｌ２の関係を満たすように設計される。これにより、用時に突起部９３が押圧されたとき、隔膜９２が線状の先端部９４に沿って大きく破れ、溶解液９１が良好に外部に流れ、液残りを少なくすることができる。なお、本例では、線状の先端部９４が隔膜９２と離隔して配置されているが、両者を接触させてもよい。【００５９】
図１０は、本発明に係る用時活性化型イオントフォレーシスデバイスに用いる溶解液溜めの他の構成例を示す平面図である。本例の溶解液溜め１００が図９のものと特に異なる点は、本例の隔膜１０２の溶解液接触部が隔膜１０２と同様に円形状とされていること、および突起部１０３が十字状の先端部１０４を備えていることである。いま、十字状の先端部１０４の長さをそれぞれＬ１０、Ｌ１１とし、隔膜１０２の溶解液接触部の直径をＬ２としたとき、０．１×Ｌ２≦Ｌ１０≦０．５×Ｌ２および／または０．１×Ｌ２≦Ｌ１１≦０．５×Ｌ２の関係を満たすように設計される。これにより、用時に突起部１０３が押圧されたとき、隔膜１０２が十字状の先端部１０４によって大きく破れ、溶解液が良好に外部に流れ、液残りを少なくすることができる。【００６０】
図１１は、本発明に係る支持体またはライナーの一構成例を示す断面図である。本例は、用時に溶解液溜めの溶解液が速やかに吸収材へ供給されるように構成を工夫したもので、図１〜図３、図７、図８の構成例では支持体に、また図４〜図６の構成例ではライナーに適用可能である。本例の支持体１１５またはライナー１１９は、図示のように、溶解液の通る開口１１４の周辺部がそれ以外の部分よりも吸収材側、すなわち溶解液溜め１１８の反対側にへこんでいる。これにより、支持体１１５またはライナー１１９と溶解液溜め１１８との間に隙間１１０が形成される。そして用時に溶解液溜め１１８が押圧されたとき隔膜１１３が破れ、この破れた隔膜の一部がこの隙間１１０に広がることができるので、溶解液が速やかに開口１１４へ流れ、また溶解液溜め中の溶解液の液残りを少なくすることができる。【００６１】
図１２は、本発明に係る支持体またはライナーの他の構成例を示す断面図である。本例もまた、用時に溶解液溜めの溶解液が速やかに吸収材へ供給されるように構成を工夫したもので、図１〜図３、図７、図８の構成例では支持体に、また図４〜図６の構成例ではライナーに適用可能である。本例の支持体１２５またはライナー１２９は、図示のように、周辺部から開口１２４に向かって吸収材側へ傾斜を設けたものである。この場合も、支持体１２５またはライナー１２９と溶解液溜め１２８との間に隙間１２０が形成される。そして用時に溶解液溜め１２８が押圧されたとき、隔膜１２３が破れ、溶解液が周辺部に広がることなく速やかに開口１２４へ流れ、また溶解液溜め中の溶解液の液残りを少なくすることができる。【００６２】
溶解液溜めと隔膜とを組み合わせたものが溶解液容器である。以下、この溶解液容器の好ましい構成例について説明する。溶解液容器は、少なくとも一部に突起部を加工した溶解液溜めを備える。この突起部は、成型加工により形成することができ、この突起部を押圧することで隔膜を突き破ることができる強度に調整される。従って、アルミニウムを含むシート材（フィルム）は、ひび割れや破断を生じやすいので突起部への加工には不向きである。【００６３】
本発明において、溶解液容器（溶解液溜め）に用いるシート材（フィルム）は、例えばシート材の水蒸気透過性が０．３０ｇ／ｍ２・２４ｈｒ以下であり、より好ましくは０．２２ｇ／ｍ２・２４ｈｒ以下である。そのようなシート材としては、例えば環状ポリオレフィン・コポリマー（ＣＯＣ）やフッ素樹脂を含むフィルムがあり、好ましくはフッ素樹脂積層フィルムがよい。さらに、容器内面は隔膜とのヒートシール可能であることが密封性に優れることから、フッ素樹脂積層フィルムは、ポリ塩化ビニル（ＰＶＣ）、ポリプロピレン（ＰＰ）またはポリエチレン（ＰＥ）のフィルムとの積層が好ましい。さらに薬物吸収性の観点から、これらのフィルムとポリプロピレンまたはポリエチレンのフィルムとの積層フィルムがより好ましい。シート材（フィルム）の厚みは、突き破り性と加工性の観点より、約５００μｍより薄く、好ましくは約１００〜４００μｍ、より好ましくは約２５０〜３５０μｍがよい。隔膜はアルミニウム箔が好ましい。【００６４】
（実験例）
溶解液容器の作製：
例えば、図３のような突起部を有する溶解液溜めを成型加工した。この溶解液溜めに溶解液（３０ｗ／ｗ％グリセリン水溶液６００μＬ）を入れ、アクリル粘着材（DURO-TAK 87-2516，５０μｍ）を積層した加工アルミニウム箔（２０μｍ）をヒートシール（１４０〜１５０℃，２秒）し、溶解液容器を作成した。
溶解液一体型貼付剤の作製：
上記作製した溶解液容器のアクリル粘着面を製剤上部に接着し、例えば、図３に示すような製剤を作成した。
アルプロスタジル含有溶解液一体型貼付剤の作製：
上記作製した溶解液容器のアクリル粘着面を製剤上部に接着し、例えば、図３に示すような製剤の薬物含有層に薬物（アルプロスタジルアルファデクス５ｍｇ）、およびラクトース８ｍｇを含ませて製剤を製造した。製造した製剤は、乾燥剤（Tri-sorb 1g, Sud-Chemie社）と共に、アルムニウム包材中に保管した。【００６５】
次に実施例および比較例を示す。
（実施例１）
溶解液容器（溶解液溜め）の材質は、ＰＥフィルムとＣＯＣフィルムとＰＥフィルムの積層体（ＰＥ／ＣＯＣ／ＰＥ）であり、その厚みは３５０μｍ、水蒸気透過性は０．２２ｇ／ｍ２・２４ｈｒである。
（実施例２）
溶解液容器（溶解液溜め）の材質は、ＰＰフィルムとＰＣＴＦＥ（フッ素樹脂）フィルムの積層体（ＰＰ／ＰＣＴＦＥ）であり、その厚みは３００μｍ、水蒸気透過性は０．１１ｇ／ｍ２・２４ｈｒである。
（実施例３）
溶解液容器（溶解液溜め）の材質は、ＰＰフィルムとＰＣＴＦＥ（フッ素樹脂）フィルムの積層体（ＰＰ／ＰＣＴＦＥ）であり、その厚みは２５０μｍ、水蒸気透過性は０．１４ｇ／ｍ２・２４ｈｒである。
（比較例１）
溶解液容器（溶解液溜め）の材質は、ＰＶＣフィルムであり、その厚みは３００μｍ、水蒸気透過性は２．７０ｇ／ｍ２・２４ｈｒである。
（比較例２）
溶解液容器（溶解液溜め）の材質は、ＰＰフィルムであり、その厚みは３００μｍ、水蒸気透過性は０．７０ｇ／ｍ２・２４ｈｒである。
（比較例３）
溶解液容器（溶解液溜め）の材質は、ＰＰフィルムであり、その厚みは５００μｍ、水蒸気透過性は０．３２ｇ／ｍ２・２４ｈｒである。
（比較例４）
溶解液容器（溶解液溜め）の材質は、ＰＥフィルムとＣＯＣフィルムとＰＥフィルムの積層体（ＰＥ／ＣＯＣ／ＰＥ）であり、その厚みは５００μｍ、水蒸気透過性は０．１４ｇ／ｍ２・２４ｈｒである。
（比較例５）
溶解液容器（溶解液溜め）の材質は、ＡｌフィルムとＰＰフィルムの積層体（Ａｌ／ＰＰ）であり、その厚みは１５０μｍ、水蒸気透過性は０ｇ／ｍ２・２４ｈｒである。
上記各実施例および比較例に関して、溶解液容器の突起部の成形加工性および隔膜突き破り性について評価し、表１のような結果を得た。【００６６】
【表１】
0004721902.tif 000006
【００６７】
表１に示すように、実施例１〜３及び比較例１、２は、突起部の成形加工性および隔膜突き破り性が共に良好であった（○印）。比較例３及び４（フィルム厚が約５００μｍ）は、突起部の成形加工性は良好であった（○印）が、溶解液容器の強度が大きく、隔膜の突き破り性は極端に低下した（×印）。比較例５は、突起部の加工においてアルムニウムの破断が観察され突起部の成形加工性は悪かった（×印）。【００６８】
次に、各温度条件における溶解液容器重量変化と溶解液移行性を評価した。溶解液一体型貼付剤を作製して、４０℃および５０℃の温度でそれぞれ１箇月間保存し、溶解液の減量（対初期％）と溶解液の移行性を評価し、表２のような結果を得た。溶解液の移行性は溶解液容器押圧後、薬物保持膜全面への液の移行が観察された時間が約３０秒以内の場合を○、約３０秒以上の場合を×とした。【００６９】
【表２】
0004721902.tif 000007
【００７０】
長期保存に適する溶解液の減量は１３％以下が望ましい。実施例１及び２では、溶解液の減量は４０℃および５０℃の温度において１３％以下であり、長期保存に適する。一方、比較例１では４０℃および５０℃の温度において、また比較例２では５０℃の温度において、保存中の溶解液の顕著な減量が観察され、長期保存には適さない。さらに、用時活性時における薬物保持膜への溶解液移行時間については、実施例１、２及び比較例２は短かったが、比較例１は長くかかった。【００７１】
表１及び表２の結果を総合すると、実施例１〜３に示すように、溶解液容器（溶解液溜め）に用いるシート材（フィルム）は、水蒸気透過性が０．２２ｇ／ｍ２・２４ｈｒ以下であることが好ましい。また、シート材は、厚みが約２５０〜約３５０μｍであることが好ましい。そのようなシート材は、環状ポリオレフィン・コポリマー（ＣＯＣ）フィルムやフッ素樹脂フィルムを含むものであり、好ましくは環状ポリオレフィン・コポリマー・フィルムとポリオレフィン・フィルムとの積層フィルム、またはフッ素樹脂フィルムとポリオレフィン・フィルムとの積層フィルムが好適である。
【産業上の利用可能性】
【００７２】
本発明は、医療分野のイオントフォレーシスデバイスに適用することができる。本発明に係る溶解液溜めを有する用時活性化型イオントフォレーシスデバイスにより、薬物の安定性を維持し、汎用性及び実用性に優れ、簡便に使用できるイオントフォレーシスデバイスを得ることができる。また、用時に溶解液溜め中の溶解液の液残りを少なくすることができるので、イオントフォレーシスデバイス中の薬物濃度を規定どおりに確保することができる。
【図１】
0004721902.tif 000008
【図２】
0004721902.tif 000009
【図３】
0004721902.tif 000010
【図４】
0004721902.tif 000011
【図５】
0004721902.tif 000012
【図６】
0004721902.tif 000013
【図７】
0004721902.tif 000014
【図８】
0004721902.tif 000015
【図９】
0004721902.tif 000016
【図１０】
0004721902.tif 000017
【図１１】
0004721902.tif 000018
【図１２】
0004721902.tif 000019